(57)【要約】      （修正有）【課題】アーム部に掛けた衣服を体の前方にあてて見るときは、可動部を前方に折り畳むことができ、かつ収納時や運搬時には嵩張らないハンガーを提供する。【解決手段】ハンガー本体１０と、このハンガー本体１０を吊り下げる吊下フック１５とを備え、ハンガー本体１０は、衣服を掛けるアーム部１１と、このアーム部１１の上部にジョイント部１２を介して取り付けた可動部１３によって構成し、可動部１３をアーム部１１に対して折曲自在とする。【選択図】図１
0003175703.tif 000002
【実用新案登録請求の範囲】
【請求項１】
ハンガー本体と、このハンガー本体を吊り下げる吊下フックとを備える衣料用のハンガーであって、
前記ハンガー本体は、衣服を掛けるアーム部と、このアーム部の上部にジョイント部を介して取り付けた可動部によって構成し、
前記可動部の上端に前記吊下フックを取り付け、
前記可動部を前記アーム部に対して折曲自在としたことを特徴とするハンガー。
【請求項２】
ハンガー本体と、このハンガー本体を吊り下げる吊下フックとを備える衣料用のハンガーであって、
前記ハンガー本体は、衣服を掛けるアーム部と、このアーム部の上部にスライド機構を介して取り付けた可動部によって構成し、
前記可動部の上端に前記吊下フックを取り付け、
前記可動部を前記アーム部に対してスライド自在としたことを特徴とするハンガー。
【請求項３】
ハンガー本体と、このハンガー本体を吊り下げる吊下フックとを備える衣料用のハンガーであって、
前記ハンガー本体は、衣服を掛けるアーム部と、このアーム部の上部に可動部を構成し、
前記可動部は、一端をジョイント部を介してアーム部に対して折曲自在に取り付け、他端をアーム部の係止部に着脱自在に係止し、
さらに前記ジョイント部に掛け紐の一端を固定し、この掛け紐の他端を前記アーム部の係止部に係止可能としたことを特徴とするハンガー。
【考案の詳細な説明】
【技術分野】
【０００１】
本考案は、衣料用のハンガーに関するものである。詳しくはハンガーの上部を必要に応じて下方に折り曲げたり、スライドさせることのできるハンガーに関する。
【背景技術】
【０００２】
一般に衣料用のハンガーは、ハンガー本体と、このハンガー本体を吊り下げるための、吊下フックとからなっていて、ハンガー本体は中央部から、衣服を掛けるためのアーム部が両側下方へ傾斜した状態で構成されている。
【０００３】
例えば特許文献１に記載の折り畳み式ハンガーは、衣服の肩部に入り込む一対のアーム１００Ａ、１００Ｂと、このアーム１００Ａ、１００Ｂを左右対称にヒンジ部２１１Ａ、２１１Ｂで連結する基端部材２００と、前記基端部材２００にスライド可能に貫通されている操作杆３００と、前記アーム１００Ａ、１００Ｂの内側にヒンジ部１１１Ａ、１１１Ｂで連結された一対の開閉腕部４００Ａ、４００Ｂと、前記操作杆３００が基端部材２００に押し込まれた状態でロックするロック機構５００とを有しており、前記操作杆３００の後端には前記開閉腕部４００Ａ、４００Ｂが左右対称にヒンジ部３３２Ａ、３３２Ｂで連結されている構成である。
【先行技術文献】
【特許文献】
【０００４】
【特許文献１】特開平８−１８２５９９号公報
【０００５】
前記特許文献記載の折り畳み式ハンガーは、アームを折り畳むことができるので、収納時や運搬時には嵩張らず、丸首シャツのような襟ぐりが小さい衣服を掛けるのにも適している。
【考案の概要】
【考案が解決しようとする課題】
【０００６】
しかしながら、前記折り畳み式ハンガーは、アームは両側から内側に折り畳めるが、基端部材２００は、前方に折り畳むことができなかった。
そのため、衣服を体の前で合わすときには、衣服をハンガーに掛けた状態であわすため、フック部３１０と基端部材２００が顔の前方に位置するため顔に当たったり、視界を遮るため鏡を見づらいという問題点があった。
【０００７】
本考案は上記事情に鑑みてなされたもので、通常の状態で衣服を吊り下げるときは前記可動部をアーム部の上に立てて使用するが、アーム部に掛けた衣服を体の前方にあてるときには、可動部と吊下フックが、前方又は下方に移動することによって、顔に当たったり、視界を遮ることのないハンガーを提供することを目的としている。
【課題を解決するための手段】
【０００８】
請求項１に記載の考案は、ハンガー本体と、このハンガー本体を吊り下げる吊下フックとを備える衣料用のハンガーであって、前記ハンガー本体は、衣服を掛けるアーム部と、このアーム部の上部にジョイント部を介して取り付けた可動部によって構成し、前記可動部の上端に前記吊下フックを取り付け、前記可動部を前記アーム部に対して折曲自在としたハンガーである。
【０００９】
請求項２に記載の考案は、ハンガー本体と、このハンガー本体を吊り下げる吊下フックとを備える衣料用のハンガーであって、前記ハンガー本体は、衣服を掛けるアーム部と、このアーム部の上部にスライド機構を介して取り付けた可動部によって構成し、前記可動部の上端に前記吊下フックを取り付け、前記可動部を前記アーム部に対してスライド自在としたハンガーである。
【００１０】
請求項３に記載の考案は、ハンガー本体と、このハンガー本体を吊り下げる吊下フックとを備える衣料用のハンガーであって、前記ハンガー本体は、衣服を掛けるアーム部と、このアーム部の上部に可動部を構成し、前記可動部は、一端をジョイント部を介してアーム部に対して折曲自在に取り付け、他端をアーム部の係止部に着脱自在に係止し、さらに前記ジョイント部に掛け紐の一端を固定し、この掛け紐の他端を前記アーム部の係止部に係止可能としたハンガーである。
【考案の効果】
【００１１】
請求項１の考案によれば、衣服を吊り下げるときは前記可動部をアーム部の上に立てて使用し、衣服を体の前方にあてるときには、可動部を前方に折り曲げることによって、可動部と吊下フックが顔に当たったり、視界を遮ったりすることがなくなるため、衣服をハンガーに掛けたままで鏡を見ながら衣服を合わせやすくなる。
【００１２】
請求項２の考案によれば、衣服を吊り下げるときは前記可動部を上方にスライドさせて使用し、衣服を体の前方にあてるときには、可動部を下方にスライドさせることによって、可動部と吊下フックが顔に当たったり、視界を遮ったりすることがなくなるため、衣服をハンガーに掛けたままで鏡を見ながら衣服を合わせやすくなる。
【００１３】
請求項３の考案によれば、衣服を吊り下げるときは前記可動部の一端を係止部に係止して使用し、衣服を体の前方にあてるときには、可動部を前方に折り曲げることによって、可動部と吊下フックが顔に当たったり、視界を遮ったりすることがなくなり、衣服をハンガーに掛けたままで鏡を見ながら衣服を合わせやすくなる。さらに掛け紐を係止部に係止することで、ハンガーにかかった衣服を首に掛けて手を空けることで、他の複数の衣服をあてて組み合わせを見ることができる。
【図面の簡単な説明】
【００１４】
【図１】本考案の実施形態１の正面図
【図２】本考案の実施形態１の可動部を折曲した状態を示す正面図
【図３】本考案の実施形態１の使用態様を示す正面図
【図４】本考案の実施形態２の正面図
【図５】本考案の実施形態２の可動部を折曲した状態を示す正面図
【図６】本考案の実施形態３の正面図
【図７】本考案の実施形態３の可動部を折曲した状態を示す正面図
【図８】本考案の実施形態４の正面図
【図９】本考案の実施形態５の正面図
【図１０】本考案の実施形態５の可動部を折曲した状態を示す正面図
【図１１】本考案の実施形態５の使用態様を示す正面図
【考案を実施するための形態】
【００１５】
（実施形態１）
本考案のハンガーの実施形態１を図１、図２、図３に基づいて説明する。
このハンガー１は、ワンピース、コート等の衣服を掛けることができるハンガー本体１０と、ハンガー本体１０を吊り下げるための金属製の吊下フック１５からなる。
【００１６】
前記ハンガー本体１０は、衣服内側の肩の部分に当てるための左右一対のアーム部１１の上端にジョイント部１２を介して可動部１３を取り付け、この可動部１３の上端にフック取付部１４を固定してなる。
前記可動部１３とアーム部１１は、ジョイント部１２で連結されているため、可動部１３はアーム部１１に対して折曲自在な構成となっている。
【００１７】
このジョイント部１２は、アーム部１１の上端に構成した内部が空洞の球体の中に可動部１３の下端の球状物（図示せず）を回動自在に嵌合したものである。ジョイント部１２はこれに限らずその他公知のものを使える。
【００１８】
上記のように構成した実施形態１の作用を説明する。
通常衣服１００を展示あるいは保管するときは、ハンガー本体１０のアーム部１１に衣服１００を掛けて吊下フック１５でパイプハンガー等に吊り下げる。このときは、前記可動部１３をアーム部１１の上方に立てて図１の状態で使用する。
【００１９】
デパート等で衣服を選ぶ時に、好みの衣服１００をハンガー１に掛けたままで手にとって体の前方にあてて鏡で見ることがある。このような場合、本実施形態のハンガー１では、衣服１００を体の前方にあてて、可動部１３をジョイント部１２から前方に折り曲げて吊下フック１５と共に、前方に倒すことができる（図２、図３参照）。
【００２０】
これによって、吊下フック１５と可動部１３が顔に当たることを防ぎ、かつ視界を妨げないため、衣服をハンガーに掛けたままで鏡を見ながら衣服を合わせて選びやすくなる等の効果を奏する。
【００２１】
（実施形態２）
本考案の実施形態２を図４、図５に基づいて説明する。
本実施形態のハンガー３のハンガー本体３０は、衣服内側の肩の部分に当てるための左右一対のアーム部３１の上端にジョイント部３２を介して可動部３４を取り付け、この可動部３４に吊下フック３５を固定してなる。
前記可動部３４は、吊下フック３５を固定するフック取付部の機能も有している。
【００２２】
前記可動部３４とアーム部３１は、ジョイント部３２で連結されているため、可動部３４はアーム部３１に対して折曲自在な構成となっている。
【００２３】
上記のように構成した実施形態２の作用を説明する。
本実施形態のハンガー３では、前記実施形態１と同様に、衣服１００をハンガー３に掛けたまま体の前方にあてて、可動部３４をジョイント部３２から前方に折り曲げて吊下フック３５と共に、前方に倒すことができる。
【００２４】
これによって、吊下フック３５と可動部３４が顔に当たることを防ぎ、かつ視界を妨げないため、衣服１００を選びやすくなる。
【００２５】
（実施形態３）
本考案の実施形態３を図６、図７に基づいて説明する。
本実施形態のハンガー４のハンガー本体４０は、衣服内側の肩の部分に当てるための左右一対のアーム部４１の上端にジョイント部４２を介して可動部４４を取り付け、この可動部４４に吊下フック４５を固定してなる。
前記可動部４４は、吊下フック４５を固定するフック取付部の機能も有している。また、ジョイント部４２は蝶番を使用しているが、他の手段を使用しても良い。
【００２６】
前記可動部４４とアーム部４１は、ジョイント部４２で連結されているため、可動部４４はアーム部４１に対して折曲自在な構成となっている。
【００２７】
上記のように構成した実施形態３の作用を説明する。
本実施形態のハンガー４は、前記実施形態１と同様に、衣服１００をハンガー４に掛けたまま体の前方にあてて、可動部４４をジョイント部４２から前方に折り曲げて吊下フック４５と共に、前方に倒すことができる。
【００２８】
これによって、吊下フック４５と可動部４４が顔に当たることを防ぎ、かつ視界を妨げないため、衣服１００を選びやすくなる。
【００２９】
（実施形態４）
本考案の実施形態４を図８に基づいて説明する。
このハンガー２は、ハンガー本体２０と、ハンガー本体２０を吊り下げるための金属製の吊下フック２５からなる。
【００３０】
前記ハンガー本体２０は、衣服内側の肩の部分に当てるための左右一対のアーム部２１の上端にスライド機構２２を介して、上端に吊下フック２５を固定した可動部２６を取り付けてある。
【００３１】
前記可動部２６はスライド機構２２によって上下にスライドするもので、両側の枠体２３，２３とこの枠体２３，２３を下端で連結する連結体２４からなる。前記枠体２３，２３の内側にはガイドミゾ２３ａ，２３ａが削設されている。
【００３２】
上記のように構成した実施形態４の作用を説明する。
使用に際して、前記可動部２６を下方に移動させるときには、可動部２６の下端の横棒２６ａを、前記枠体２３，２３のガイドミゾ２３ａ，２３ａに沿って下方にスライドさせる。これによって、可動部２６と吊下フック２５が下方に移動して、吊下フック２５と可動部２６が顔に当たることを防ぎ、かつ視界を妨げないため、前記の各実施形態と同様に衣服１００を選びやすくなる。
【００３３】
（実施形態５）
本考案の実施形態５を図９、図１０、図１１に基づいて説明する。
このハンガー本体５０は、衣服の肩の部分を掛ける左右一対のアーム部５１と、一方のアーム部５１の上端にジョイント部５２を介して上端に吊下フック５５を備えた可動部５４を構成してなる。このジョイント部５２は前記実施形態１のジョイント部１２と同様の構成である。
また、他方のアーム部５１の上端には、係止部５９を構成してある。
【００３４】
前記可動部５４は、一端をジョイント部５２を介してアーム部５１に対して折曲自在に取り付けられ、他端はフック５８を構成してあり、このフック５８でアーム部５１の係止部５９に着脱自在に係止される。
【００３５】
一方、前記ジョイント部５２に掛け紐６０の一端を固定し、この掛け紐６０の他端に設けたフック６１を、前記アーム部５１の係止部５９に係止可能にしている。
【００３６】
上記のように構成した実施形態５の作用を説明する。
本実施形態のハンガー５は、衣服１００を吊り下げるときは前記可動部５４の一端のフック５８を係止部５９に係止して使用する（図９Ａ矢視図参照）。
衣服１００をハンガー５に掛けたまま体の前方にあてるときは、可動部５４をジョイント部５２から前方に折り曲げて吊下フック５５と共に、前方に倒せばよい。これによって、吊下フック５５と可動部５４が顔に当たることを防ぎ、かつ視界を妨げないため、衣服１００を選びやすくなる。
【００３７】
さらに、可動部５４をジョイント部５２から折り曲げた状態で、掛け紐６０の端部のフック６１をアーム部５１の係止部５９に係止してハンガー５を首に掛けることができる。
この状態では両手が自由となるから、ハンガー５に掛った衣服を首に掛けたまま、一度に複数の他の衣服を合わせることができる。
【００３８】
前記各実施形態のハンガーは、樹脂製、木製あるいは金属製であり、一部に布を使用しているが、これらの材質、あるいはハンガーの大きさ、形状等は、実施形態のものに限らず任意に決定できるものとする。
【符号の説明】
【００３９】
１    ハンガー        １０  ハンガー本体
１１  アーム部        １２  ジョイント部
１３  可動部          １４  フック取付部
１５  吊下フック
２    ハンガー        ２０  ハンガー本体
２１  アーム部        ２２  スライド機構
２３  枠体            ２５  吊下フック  
２６  可動部
３    ハンガー        ３０  ハンガー本体
３１  アーム部        ３２  ジョイント部
３４  可動部          ３５  吊下フック
４    ハンガー        ４０  ハンガー本体
４１  アーム部        ４２  ジョイント部
４４  可動部          ４５  吊下フック
５    ハンガー        ５０  ハンガー本体
５１  アーム部        ５２  ジョイント部
５４  可動部          ５９  係止部
６０  掛け紐
【図１】
0003175703.tif 000003
【図２】
0003175703.tif 000004
【図３】
0003175703.tif 000005
【図４】
0003175703.tif 000006
【図５】
0003175703.tif 000007
【図６】
0003175703.tif 000008
【図７】
0003175703.tif 000009
【図８】
0003175703.tif 000010
【図９】
0003175703.tif 000011
【図１０】
0003175703.tif 000012
【図１１】
0003175703.tif 000013